(57)【要約】      （修正有）【課題】深礎基礎の躯体部を構成する主鉄筋と帯鉄筋よりなる鉄筋籠の坑内建込み後の坑内礎底地盤の軟弱化によって派生する抗体の浮動、沈下防止を図るために坑底に装着する構造物を保護、強化することによって杭体の安定化を図るとともに鉄筋籠と坑底地盤との間に別途、基盤調整用の床版コンクリートブロックを配設した構造基体を提供する。【解決手段】躯体部を構成する主鉄筋４と帯鉄筋５よりなる鉄筋籠の最下部の帯鉄筋に井桁状に組立てた格子枠体を取着して籠の底面を強化する。また、３本の輪状鉄筋３と１６本の直交鉄筋３０と８本のＬ型鉄筋４０とを係合溶接し、コンクリートを打設して支持強度を有する円環状の床版コンクリートブロックを製作する。該ブロックに配設したＬ型鉄筋と鉄筋籠の下端部の主鉄筋とを継合溶接して鉄筋籠と床版コンクリートブロック７とを一体構成した後、その一体構造的鉄筋籠を坑底地盤に配設（吊下、建込）することによって抗体が安定する。【選択図】図１
0003160485.tif 000002
【実用新案登録請求の範囲】
【請求項１】
立坑内に打設したケ−シングチュ−ブによって深礎基礎を構設する場合の躯体部を構成する鉄筋籠の坑内建込みにおいて
（イ）軟弱地盤での坑底装着構造物（抗体）保護のため坑内に建込む主鉄筋と帯鉄筋よりなる鉄筋籠と坑底地盤との間に床版コンクリ−トブロックを配設すること。
（ロ）坑底部に配設する円環状の床版コンクリ−トブロックの支持耐力を高めるため、該ブロック用型枠の中に繞設した３本の輪状鉄筋と１６本の直交筋と８本のＬ型鉄筋とを溶接して補強鉄筋枠を構成した後、コンクリ−トを注入して強固なブロックを製作すこと。
（ハ）坑底部に配設する鉄筋籠よりなる抗体の浮上、沈下を防止するため、該鉄筋籠の最下端部の帯鉄筋に長短１２本の鉄筋を井桁状に組立てた格子枠を溶接して底版を強化すること。
（ニ）鉄筋籠の最下部の主鉄筋と床版コンクリ−トブロックのＬ型鉄筋とを継合、溶接して鉄筋籠と床版コンクリ−トブロックとを一体構成することを特徴とする坑底部に設置す杭体鉄筋籠の坑内建込。
【考案の詳細な説明】
【技術分野】
【０００１】  本考案は、送電鉄塔の深礎基礎工において、円形支保工にケ−シングチュ−ブあるいはライナ−プレ−トなどを使って立坑を削掘し、立坑内に基礎の躯体部を構成する鉄筋籠を建込んで構築した杭体の安定化を図るため礎底地盤に装着する杭体補強用の構造基体に関する。
【背景技術】
【０００２】  従来行われている深礎基礎工法を挙げれば、立坑の掘削を人為的に行う工法と機械的に行う工法に大別され、前者については、立坑の掘削幅が２〜５ｍφ、深さが３０ｍ迄の地盤が良質で安定した場所に適用されるもので、図４に示すように土留め支保工に円形ライナ−プレトを使用しており、立坑の掘穿、排土、坑底地盤の締め固め、駆体部の配筋（縦筋、フ−プ筋）組立など坑内作業の大半を手作業（人力）によって行っている。
一方、後者については、立坑の掘削幅が１〜２ｍφ、深さが３５ｍ以上で、地盤が軟弱（地盤崩壊、湧水）で不安定な場所に適用されるもので、図１、図２に示すように土留め支保工代わりに鋼製のケ−シングチュ−ブを使用しており、掘削機と揚重機によって立坑の掘削、排土ならびに坑底のスラム処理を行った後、図３に示すような鉄筋組立用治具を使って地上で縦筋とフ−プ筋を組立てて製作した鉄筋籠を上から吊込み坑内に建込むオ−ルケ−シング工法が一般的に行われている。
上記のほか、河川敷等の軟弱地盤で、掘削幅が３〜５ｍφの大坑径基礎の土留支保工として筒状のコンクリ−ト型枠を使用する井筒（オ−プンケ−ソン）工法があるが、ここでは省略する。
【先行技術文献】
【特許文献】
【特許文献１】  特開平１０−１０２９７６号公報
【考案の概要】
【考案が解決しようとする課題】
【０００３】  しかし、従来工法の内、図４に示すようなライナ−プレ−トを使用する大坑径の深礎基礎工事においては、削孔壁の崩壊や土石の落下を防止するため支保工の裏込めコンクリ−ト打設をすること。坑底部より順次組立てる駆体部配筋用の鉄筋材を上から降ろすこと。坑底地盤の締め固めと平坦化に手間がかかることのほか上下の配筋組立が同時作業となり多くの作業員が必要なことなど効率的ではなく、安全性にも問題があった。【０００４】  一方、図１、図２に示すような工法においては、打込んだケ−シングチュ−ブが土留め支保工の役割を果たしていることと躯体部の配筋組立（鉄筋籠）作業を地上で行うことについては効率的であるが、大型揚重機の搬入、据付け、ケ−シングチュ−ブの建込み、掘削、排土、孔底泥土（スライム）処理と躯体部コンクリ−ト打設後のケ−シングチュ−ブの引抜き作業など重機類の使用操作による多様な作業があるのほか、坑底部の地盤が軟弱な場所の不等沈下等を考慮し、重くて長い鉄筋籠を安定的に坑内支持するために坑底地盤の補強を行った後、鉄筋籠を建込む必要があった。しかし、これまで、このことを解消する適切な対応（手法）が確立されてなかったので、この問題を解決する必要があった。【０００５】  本考案は、上述の目的を達成するためケ−シングチュ−ブにより深礎基礎を立坑内に建設する場合の着底構造物（鉄筋籠より構成の杭体）の安定化を図るための手法を提案することが課題である。
【課題を解決するための手段】
【０００６】  この課題、即ち、着底する杭体を安定的に支持するための対策として、軟弱地盤における穿孔後の礎底部での揚力ならびに不等沈下に耐える構造とするため、坑内に建込む鉄筋籠の下端部の底面を強化するために井桁鉄筋枠を組成するとともに鉄筋籠と礎底部の地盤との間に緩衝材として別途、製作した床版で鉄筋籠の重量にも耐える強度を具備したコンクリ−トブロックを介設することとし、その床版コンクリ−トブロック上に載設する鉄筋籠とを継合連設して一体構造とし、これを立坑に建込んだ後、躯体コンクリ−トを打設して基礎体を構築することとした。
【考案の効果】
【０００７】  本考案による鉄筋籠の最下部の底面に井桁鉄筋枠を組成したことによって鉄筋籠の底面が真円状となり剛性化（補強）されることと軟弱で不安定な地盤における礎底部周辺地盤の沈降、隆起などを沈静化（緩衝）するために鉄筋籠と一体化した床版コンク−トブロックを礎底部に配設することによって立坑内に建込んだ鉄筋籠を水平かつ鉛直に縦立させることができるのでコンクリ−ト打設後の基礎体を安定した状態で構築することができる。
【図面の簡単な説明】
【０００８】
【図１】  （ａ）  立坑内に建込む鉄筋籠の礎底部配設の状態を示す縦断面図  （ｂ）  底版コンクリ−トブロックの形状を示す平面図と横断面図  （ｃ）  底版コンクリ−トブロックの補強鉄筋配設状態を示す縦断面図
【図２】  （ａ）  立坑内に建込む鉄筋籠の配筋構造を示す縦断面図と部分断面図  （ｂ）  鉄筋籠の下端部に取付ける井桁鉄筋枠の形状を示す平面図（断面Ｃ−Ｃ）  （ｃ）  鉄筋籠を立坑の底版コンクリ−トブロック上に建込んだ状態を示す全断面図
【図３】  （ａ）  鉄筋組立用の治具を使って鉄筋籠を構成する状況図  （ｂ）  主鉄筋（縦筋）と帯鉄筋（フ−プ筋）よりなる鉄筋籠
【図４】  従来工法のライナ−プレ−トによる立坑内での配筋組立手法を示す斜視図
【考案を実施するための最良の形態】
【０００９】  以下、図面を参照して本考案の実施の形態を説明する。
【実施例】
【００１０】  図１（ａ）は、鉄筋籠Ｔの礎底部９への配設状態を示す縦断面図で、ケ−シングチュ−ブ１０を使って掘削した立坑１内に地上で製作したＬ型筋４０を取着した床版コンクリ−トブロック７を上部より吊り下げて礎底部９に配設した後、地上で製作した鉄筋籠Ｔを上部より吊り下げて床版コンクリ−トブロック７に載置し、鉄筋籠Ｔの主鉄筋４とＬ型筋４０とを継合（溶接）し、坑内１に鉄筋籠Ｔを建て込む。
△また、同図（ｂ）は、礎底部９に配設する床版コンクリ−トブロック７の形状と構成を示す平面図と横断面図で、その直径Ｄを鉄筋籠Ｔの直径より１０ｃｍ程大きく、厚さｈを１８ｃｍ、幅ｌを２５ｃｍとし、この環状の床版コンクリ−ト７を地上で構成する。また、同図（ｃ）は、床版コンクリ−トブロック７の補強鉄筋の配設状態を示す縦断面図で、床版コンクリ−トブロック７の中に内輪、中輪、外輪と３本の輪状鉄筋３を繞設し、それぞれを直交筋３０によって緊結し、強固なコンクリ−ト製のブロックを構成する。【００１１】  図２（ａ）は、立坑１の中に建込む鉄筋籠Ｔの配筋構造を示す縦断面図と部分断面図で、地上で製作した床版コンクリ−トブロック７に取着したＬ型鉄筋４０と長さＨが４〜１０ｍの鉄筋籠Ｔの最下部の主鉄筋４とを溶接するとともに主鉄筋４にスペ−サ−０１を４〜５ｍ間隔に取付け、鉄筋籠Ｔとブロック７とを一体化した杭体をクレ−ンにて吊り上げて立坑１の中に建込む。また、同図（ｂ）は、鉄筋籠Ｔの下端部の帯鉄筋５に取付ける井桁鉄筋２の枠組みの形状を示す平面図で、床版コンクリ−トブロック７の直径Ｄより１０ｃｍ程小さい外径ｗの下端部の帯鉄筋５に組立幅Ｐが２０〜３０ｃｍの井桁鉄筋枠２を装着し、鉄筋籠Ｔの浮上り、あるいは沈降下を防止している。
また、同図（ｃ）は、地上で組立てた鉄筋籠Ｔの最底部に床版コンクリ−トブロック７を添設し、一体化した鉄筋籠Ｔをクレ−ンを使って吊り上げ、立坑１の中に建込むことによって深礎基礎の躯体部を構成する鉄筋工が完成する。【００１２】  図３（ａ）は、鉄筋組立用の治具を使って鉄筋籠Ｔを構成（配筋、組立）する状況図で、治具を使って長さＬが４〜１０ｍの数本の主鉄筋４に沿って数本の輪状の帯鉄筋５を３０〜５０ｃｍ間隔Ｈで組立てた後、溶接し、鉄筋籠Ｔを地上で構成する。これにより、同図（ｂ）のような数本の主鉄筋４と帯鉄筋５よりなる真円形の鉄筋籠Ｔが組成される。【００１３】  図４は、従来実施されている深礎基礎工法の一例を示す実施状況図で、本考案の手法と異なる点は、安定地盤における立坑掘削の土留め支保工にライナ−プレ−トを使用することと、立坑内に建立する躯体部の配筋組立てを手作業で行っていることで、不安定地盤における立坑掘削にケ−シングチュ−ブを使用する本考案の工事様相との対比は不適切であるが、削孔底の支持地盤と鉄筋組立工（人工的、機械的）の相違によって派生する問題点（難易度、効率性、安全性）を知見するための検討対象工法として提示することとした。
【符号の説明】
【００１４】    １    立坑（円形支保工）
１０  ケ−シングチュ−ブ（鋼管）
２    井桁鉄筋（床版部補強）
３    輪状鉄筋（ブロック補強）
３０  直交鉄筋（ブロック補強）
４    主鉄筋（縦筋）
４０  Ｌ型鉄筋（縦筋継合用）
４４  支持金具（縦筋）
５    帯鉄筋（フ−プ筋）
５０  繞設筋（内輪、中輪、外輪）
６    コンクリ−トブロッコ（縦筋載置）
７    床版コンクリ−トブロック（鉄筋籠載置部）
８    削孔壁（立坑側壁）
９    礎底部（坑底地盤）
０１  スペ−サ−（背隙保持）
Ｔ    鉄筋籠
Ｄ    床版コンクリ−トブロックの直径
ｄ    床版コンクリ−トブロックの内径
Ｈ    フ−プ筋保持間隔（縦幅）
ｈ    ブロック高さ
Ｌ    主鉄筋の長さ（鉄筋籠）
ｌ    ブロック断面の横幅
ｍ    直交筋の長さ
ｎ    繞設筋の配設幅
ｐ    井桁筋の組立幅（ピッチ）
ｗ    井桁筋の格子枠幅（フ−プ筋の外径）
ＧＬ  地表
【図１】
0003160485.tif 000003
【図２】
0003160485.tif 000004
【図３】
0003160485.tif 000005
【図４】
0003160485.tif 000006
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
立坑内に打設したケ−シングチュ−ブによって深礎基礎を構設する場合の躯体部を構成する主鉄筋と帯鉄筋よりなる鉄筋籠の坑内建込みにおいて
（イ）軟弱地盤の坑底部に装着する構造物の抗体を保護するため坑内に建込む主鉄筋と帯鉄筋よりなる鉄筋籠と坑底地盤との間に床版コンクリ−トブロックを配設すること
（ロ）坑底部に配設する円環状の床版コンクリ−トブロックの支持耐力を高めるため、該コンクリ−トブロック用の環状型枠の中に繞設した３本の輪状鉄筋と１６本の直交筋と８本のＬ型鉄筋とを溶接して補強鉄筋枠を構成した後、コンクリ−トを注入して強固な床版コンクリ−トブロックを製作すこと
（ハ）坑底部に配設する鉄筋籠よりなる抗体の浮上、沈下を防止するため、該鉄筋籠の最下端部の帯鉄筋に長短１２本の鉄筋を井桁状に組立てた格子枠を溶接して鉄筋籠の底版部を強化すること
（ニ）鉄筋籠の最下部の主鉄筋と床版コンクリ−トブロックのＬ型鉄筋とを継合、溶接して鉄筋籠と床版コンクリートブロックとを一体構成すること
（ホ）床版コンクリ−トと一体化した坑体構成用の鉄筋籠を立坑内の坑底部に建込み設置することを特徴とする深礎基礎の杭体鉄筋籠。
【手続補正書】
【提出日】平成22年4月2日(2010.4.2)
【手続補正１】
【補正対象書類名】実用新案登録請求の範囲
【補正対象項目名】全文
【補正方法】変更
【補正の内容】
【実用新案登録請求の範囲】
【請求項１】
立坑内に打設したケ−シングチュ−ブによって深礎基礎を構設する場合の躯体部を構成する主鉄筋と帯鉄筋よりなる鉄筋籠の坑内建込みにおいて
（イ）軟弱地盤の坑底部に装着する構造物の抗体を保護するため坑内に建込む主鉄筋と帯    鉄筋よりなる鉄筋籠と坑底地盤との間に床版コンクリ−トブロックを配設すること
（ロ）坑底部に配設する円環状の床版コンクリ−トブロックの支持耐力を高めるため、該    コンクリ−トブロック用の環状型枠の中に繞設した３本の輪状鉄筋と１６本の直交筋    と８本のＬ型鉄筋とを溶接して補強鉄筋枠を構成した後、コンクリ−トを注入して強    固な床版コンクリ−トブロックを製作すること
（ハ）坑底部に配設する鉄筋籠よりなる抗体の浮上、沈下を防止するため、該鉄筋籠の最    下端部の帯鉄筋に長短１２本の鉄筋を井桁状に組立てた格子枠を溶接して鉄筋籠の底    版部を強化すること
（ニ）鉄筋籠の最下部の主鉄筋と床版コンクリ−トブロックのＬ型鉄筋とを継合、溶接し    て鉄筋籠と床版コンクリ−トブロックとを一体構成すること
（ホ）床版コンクリ−トと一体化した坑体構成用の鉄筋籠を立坑内の坑底部に建込み設置することを特徴とする深礎基礎の杭体鉄筋籠。